(57)【要約】【課題】借入の審査の申し込みから審査の完了までの処理の効率を高めることのできる借入審査システムを提供する。【解決手段】借入審査システム１００は、入力端末と情報収集部と審査部とを備える。入力端末には、申込者情報と勤務先情報と借入金情報とが入力され、情報収集部は、これらの情報を入力端末から受信し、複数の企業について、企業の信用情報である企業信用情報とその企業を識別するための情報である企業構成情報との各々を、企業情報として記憶しているデータベースから、勤務先情報の示す勤務先に該当する企業の企業情報を取得し、申込者情報、借入金情報、および、取得した企業情報を申請情報に含めて審査部に送信し、審査部から申請情報を用いて行った審査結果を受信したとき、申込者情報に含まれる申込者の連絡先に審査の完了を通知する。【選択図】図１
2017117308.tif 000002
【特許請求の範囲】
【請求項１】
借入の審査の申込者に関する情報であって前記申込者の連絡先を含む申込者情報、前記申込者の勤務先を示す情報である勤務先情報、および、前記申込者の借入を希望する金額を示す情報である借入金情報が入力される入力端末と、
前記借入の審査に用いられる情報である申請情報を収集する情報収集部と、
前記申請情報を用いて、借入に関する審査を行い、審査結果を前記情報収集部に送信する審査部と、を備え、
前記情報収集部は、
前記申込者情報と前記勤務先情報と前記借入金情報とを前記入力端末から受信する受信部と、
複数の企業について、企業ごとに、企業の信用情報である企業信用情報とその企業を識別するための情報であって前記企業信用情報に対応付けられた企業構成情報との各々を、企業情報として記憶しているデータベースから、前記勤務先情報の示す勤務先に該当する企業の前記企業情報を取得する取得部と、
前記申込者情報、前記借入金情報、および、前記取得部が取得した前記企業情報を前記申請情報に含めて前記審査部に送信する送信部と、
前記審査部から前記審査結果を受信したとき、前記申込者情報に含まれる前記申込者の連絡先に審査の完了を通知する通知部と、を有する
借入審査システム。
【請求項２】
前記勤務先情報の示す勤務先に該当する企業の前記企業情報として、複数の企業の前記企業情報が前記データベースに存在するとき、
前記情報収集部の前記取得部は、前記勤務先情報の示す勤務先に該当する各企業について、前記企業構成情報を前記データベースから取得し、
前記入力端末は、前記取得部が取得した各企業についての前記企業構成情報を前記情報収集部から受信し、この受信した情報を表示して企業の選択を要求し、
前記情報収集部の前記送信部は、前記入力端末にて選択された企業の前記企業情報を、前記申請情報に含めて前記審査部に送信する前記企業情報とする
請求項１に記載の借入審査システム。
【請求項３】
前記勤務先情報は、企業名と当該企業の本社が所在する場所とを含む
請求項１または２に記載の借入審査システム。
【請求項４】
前記情報収集部から受信した情報を表示する閲覧端末をさらに備え、
前記情報収集部は、
前記申請情報に含まれる情報を含めて前記情報収集部の収集した情報を収集情報として記憶する記憶部と、
前記閲覧端末からの要求に応じて、前記収集情報を前記閲覧端末に送信する提供部と、をさらに有する
請求項１〜３のいずれか一項に記載の借入審査システム。
【請求項５】
前記収集情報には、前記審査結果が含まれる
請求項４に記載の借入審査システム。
【請求項６】
前記入力端末は、前記申込者の勤務先を証明する書類を撮影し、
前記情報収集部の前記受信部は、
前記書類の画像を前記入力端末から受信し、
前記収集情報には、前記書類の画像が含まれる
請求項４または５に記載の借入審査システム。
【発明の詳細な説明】
【技術分野】
【０００１】
本発明は、借入に関する審査を行う借入審査システムに関する。
【背景技術】
【０００２】
住宅ローン等の融資サービスを提供する銀行等の機関は、借入の申し込みを受けたとき、借入に関する種々の審査、例えば、借入を承認するか否かの簡易的な審査である事前審査や、事前審査よりもさらに詳細な情報に基づく本審査や、金利の設定に関する審査等を行い、審査結果に基づいて融資を行う。近年、こうした審査の一部あるいは全部を、サーバが行うシステムが提案されている。サーバは、例えば、借入の申込者、すなわち、審査の申込者によって入力された情報と、サーバが保持するデータおよびプログラムとに基づいて、審査を行う（例えば、特許文献１参照）。
【先行技術文献】
【特許文献】
【０００３】
【特許文献１】特開２００８−９０６８９号公報
【発明の概要】
【発明が解決しようとする課題】
【０００４】
ところで、的確な審査のためには、審査の申込者が提供する情報以外の情報も加味して審査が行われることが望ましい。例えば、申込者の勤める企業の信用情報、すなわち、その企業の資本金や上場の有無等を含む情報は、申込者が借入金を返済できるか否かを判断するための有用な情報である。こうした企業の信用情報には、申込者自身が把握していない情報や申込者自身は取得できない情報も含まれるため、申込者に提供を求めることは困難である。企業の信用情報を審査に利用しようとする場合には、上記機関の担当者が、申込者から提供された勤務先に基づき、調査会社等が提供するデータベースを利用して、その企業の信用情報を収集する必要がある。
【０００５】
すなわち、上述のシステムを利用してサーバに審査を行わせるためには、申込者が情報を入力して審査を申し込んだ後、上記機関の担当者が、この入力された情報に含まれる勤務先に基づき企業の信用情報を収集して、収集した信用情報をサーバに入力しなければならない。結果として、審査の申し込みから審査の完了までの処理の効率は低く留まっている。
【０００６】
本発明は、借入の審査の申し込みから審査の完了までの処理の効率を高めることのできる借入審査システムを提供することを目的とする。
【課題を解決するための手段】
【０００７】
上記課題を解決する借入審査システムは、借入の審査の申込者に関する情報であって前記申込者の連絡先を含む申込者情報、前記申込者の勤務先を示す情報である勤務先情報、および、前記申込者の借入を希望する金額を示す情報である借入金情報が入力される入力端末と、前記借入の審査に用いられる情報である申請情報を収集する情報収集部と、前記申請情報を用いて、借入に関する審査を行い、審査結果を前記情報収集部に送信する審査部と、を備え、前記情報収集部は、前記申込者情報と前記勤務先情報と前記借入金情報とを前記入力端末から受信する受信部と、複数の企業について、企業ごとに、企業の信用情報である企業信用情報とその企業を識別するための情報であって前記企業信用情報に対応付けられた企業構成情報との各々を、企業情報として記憶しているデータベースから、前記勤務先情報の示す勤務先に該当する企業の前記企業情報を取得する取得部と、前記申込者情報、前記借入金情報、および、前記取得部が取得した前記企業情報を前記申請情報に含めて前記審査部に送信する送信部と、前記審査部から前記審査結果を受信したとき、前記申込者情報に含まれる前記申込者の連絡先に審査の完了を通知する通知部と、を有する。
【０００８】
上記構成によれば、入力端末に入力された勤務先情報に基づいて、勤務先情報の示す企業の企業信用情報に対応する企業情報が取得され、取得された企業情報が、入力端末に入力された他の情報とともに申請情報に含められて審査部に送信されて、審査に用いられる。したがって、システムの処理とは別に担当者が企業信用情報を収集してシステムに入力することを要さず、入力端末への情報の入力、すなわち、審査の申し込みから、審査の完了までの処理が借入審査システムにて連続して行われる。それゆえ、審査の申し込みから審査の完了までの処理の効率が高められる。
【０００９】
上記構成において、前記勤務先情報の示す勤務先に該当する企業の前記企業情報として、複数の企業の前記企業情報が前記データベースに存在するとき、前記情報収集部の前記取得部は、前記勤務先情報の示す勤務先に該当する各企業について、前記企業構成情報を前記データベースから取得し、前記入力端末は、前記取得部が取得した各企業についての前記企業構成情報を前記情報収集部から受信し、この受信した情報を表示して企業の選択を要求し、前記情報収集部の前記送信部は、前記入力端末にて選択された企業の前記企業情報を、前記申請情報に含めて前記審査部に送信する前記企業情報とすることが好ましい。
【００１０】
上記構成によれば、勤務先情報の示す勤務先に該当する企業の企業情報が、データベースに複数含まれているとき、申込者等の入力端末の利用者に、企業の信用に関わる情報を閲覧させずに複数の企業情報に対応する企業のなかのいずれかを選択させて、選択された企業の企業情報を審査部に送信することができる。企業の信用に関わる情報には、拡散の好ましくない情報も含まれるため、上記構成によれば、こうした情報の拡散が抑えられる。
【００１１】
上記構成において、前記勤務先情報は、企業名と当該企業の本社が所在する場所とを含むことが好ましい。
一般に、企業情報には、企業を識別するための情報、すなわち、企業構成情報として企業名や本社の所在地が含まれる。したがって、上記構成によれば、企業情報を効率的に特定できる。また、企業名と本社の所在する場所とは、申込者にとって容易に提供できる情報であるため、入力端末に入力される情報の提供に際しての申込者の負担の増大も抑えられる。
【００１２】
上記構成において、前記情報収集部から受信した情報を表示する閲覧端末をさらに備え、前記情報収集部は、前記申請情報に含まれる情報を含めて前記情報収集部の収集した情報を収集情報として記憶する記憶部と、前記閲覧端末からの要求に応じて、前記収集情報を前記閲覧端末に送信する提供部と、をさらに有することが好ましい。
【００１３】
上記構成によれば、審査の管理者等である閲覧端末の利用者は、入力端末に入力された情報、すなわち、申込者から提供された情報等、情報収集部に集められた情報を容易に確認することができる。したがって、審査の申し込みの管理に要する負荷が軽減され、利便性が高められる。
【００１４】
上記構成において、前記収集情報には、前記審査結果が含まれることが好ましい。
上記構成によれば、閲覧端末の利用者は、審査の申し込みに対する審査結果を確認することができるため、審査の申し込みの管理についての利便性がより高められる。
【００１５】
上記構成において、前記入力端末は、前記申込者の勤務先を証明する書類を撮影し、前記情報収集部の前記受信部は、前記書類の画像を前記入力端末から受信し、前記収集情報には、前記書類の画像が含まれることが好ましい。
【００１６】
上記構成によれば、閲覧端末の利用者は、申込者の勤務先を証明する書類の画像を参照して、勤務先情報の示す勤務先が申込者の勤務先として正しいか否かを確認することができる。
【発明の効果】
【００１７】
本発明によれば、借入の審査の申し込みから審査の完了までの処理の効率を高めることができる。
【図面の簡単な説明】
【００１８】
【図１】借入審査システムの一実施形態について、借入審査システムの構成を示す図。
【図２】一実施形態における借入審査システムの処理の手順を示すシーケンス図であって、審査の申し込みの開始から企業構成情報の確認までの手順を示す図。
【図３】一実施形態の借入審査システムにおいて、入力端末に表示される企業構成情報の確認画面の一例を示す図。
【図４】一実施形態における借入審査システムの処理の手順を示すシーケンス図であって、勤務状況情報の入力から審査の完了の通知までの手順を示す図。
【図５】一実施形態における借入審査システムの処理の手順を示すシーケンス図であって、収集情報の閲覧の手順を示す図。
【図６】一実施形態の借入審査システムにおいて、閲覧端末に表示される収集情報の閲覧画面の一例を示す図。
【発明を実施するための形態】
【００１９】
図１〜図６を参照して、借入審査システムの一実施形態について説明する。本実施形態の借入審査システムは、住宅ローンの事前審査の申し込みを受け付けて、借入を許可するか否かの審査を行うシステムである。
【００２０】
［借入審査システムの構成］
図１を参照して、借入審査システムの構成について説明する。
図１が示すように、借入審査システム１００は、受付サーバ１０と、申請サーバ２０と、審査サーバ３０と、企業情報データベース４０とを含む。さらに、借入審査システム１００は、入力端末５０と、申込者端末６０と、閲覧端末７０とを含む。
【００２１】
受付サーバ１０と入力端末５０および申込者端末６０とは、ネットワークに接続され、受付サーバ１０は、入力端末５０および申込者端末６０の各々と、ネットワークを通じて相互にデータの送信および受信を行う。また、受付サーバ１０と申請サーバ２０とは、ネットワークに接続され、ネットワークを通じて相互にデータの送信および受信を行う。同様に、申請サーバ２０と審査サーバ３０とは、ネットワークに接続され、ネットワークを通じて相互にデータの送信および受信を行う。また、申請サーバ２０は、ネットワークに接続された企業情報データベース４０から、ネットワークを通じてデータを取得する。さらに、申請サーバ２０と閲覧端末７０とは、ネットワークに接続され、申請サーバ２０は、閲覧端末７０と、ネットワークを通じて相互にデータの送信および受信を行う。
【００２２】
上述の各装置の通信に用いられるネットワークは、独立した複数のネットワークを含んでいてもよいし、共通した１つのネットワークであってもよい。これらのネットワークは、インターネット等の汎用通信回線であってもよいし、各装置の通信のための専用通信回線であってもよい。例えば、受付サーバ１０と入力端末５０および申込者端末６０とが接続されるネットワークは汎用通信回線であり、その他のネットワークは社内回線等の専用通信回線であることが好ましい。
【００２３】
入力端末５０、申込者端末６０、および、閲覧端末７０の各々は、タブレット端末やスマートフォンやパーソナルコンピュータ等のコンピュータ端末である。各端末は、情報を表示する表示部、利用者の操作を受け付ける操作部、通信を制御する通信部、プログラムやデータを記憶する記憶部、これらの各部の制御や演算処理を記憶部に記憶されたプログラムやデータに基づいて行う制御部等を備えている。記憶部は、不揮発性メモリを含む構成を有し、制御部は、ＣＰＵおよびＲＡＭ等の揮発性メモリを含む構成を有する。
【００２４】
入力端末５０は、住宅ローンの申込者、すなわち、事前審査の申込者の提供する情報が入力される端末であり、申込者や、事前審査の申し込みを管理する金融機関や不動産業者等の担当者によって操作される。入力端末５０は、上述の各部に加えて、対象を撮影する撮影部を備えており、例えば、タブレット端末に具体化される。
【００２５】
入力端末５０に入力される情報には、申込者に関する情報である申込者情報と、資金に関する情報である資金情報と、申込者の勤務先を示す情報である勤務先情報とが含まれる。申込者情報は、申込者の氏名や、申込者の連絡先を含む。申込者の連絡先は、具体的には、メールアドレスである。資金情報は、申込者が借入を希望する金額を示す借入金情報を含む。勤務先情報は、申込者の勤務する企業名とその本社が所在する場所、具体的には本社の所在する都道府県とを含む。
【００２６】
また、入力端末５０には、撮影部の撮影による情報の入力も行われる。撮影の対象である書類には、本人確認書類、勤務先確認書類、および、収入確認書類が含まれる。本人確認書類は、申込者の身分を証明する書類であり、例えば、運転免許証やパスポート等である。勤務先確認書類は、申込者の勤務先を示す書類であり、例えば、名刺等である。収入確認書類は、申込者の収入を証明する書類であり、例えば、源泉徴収票や納税証明書等である。このうち、源泉徴収票は、申込者の勤務先を証明する書類としても機能する。
【００２７】
入力端末５０においては、これらの情報の入力を促す画面を制御部が表示部に表示させ、画面の指示に従って申込者等が操作部を操作することによって、操作部や撮影部からの信号やデータを受けた制御部が、上記情報を示すデータを生成する。これによって、入力端末５０に情報が入力される。制御部は、入力端末５０に入力された情報を、通信部を介して受付サーバ１０に送信する。送信される情報には、上述の申込者情報や資金情報や勤務先情報や各書類の画像が含まれる。
【００２８】
入力端末５０の制御部が有する上述の各機能は、複数のＣＰＵや、ＲＡＭ等からなるメモリ等の各種のハードウェアと、これらを機能させるソフトウェアとによって各別に具体化されてもよく、あるいは、共通する１つのハードウェアに複数の機能を与えるソフトウェアによって具体化されてもよい。こうしたソフトウェアは、例えば、住宅ローンの事前審査の申し込みのためのアプリケーションソフトウェアとして入力端末５０の記憶部に記憶されている。
【００２９】
申込者端末６０は、申込者によって操作される端末であり、例えば、スマートフォンやパーソナルコンピュータに具体化される。申込者端末６０は、審査完了の通知の受領に用いられる。
【００３０】
閲覧端末７０は、住宅ローンを提供する銀行等の金融機関の担当者等、事前審査の申し込みの管理者によって操作される端末であり、例えば、パーソナルコンピュータに具体化される。閲覧端末７０は、申込者の提供した情報や審査結果等、住宅ローンの事前審査の申し込みの開始から審査の完了までの間に申請サーバ２０に集まる情報の閲覧に用いられる。
【００３１】
企業情報データベース４０は、複数の企業について、企業ごとに、企業信用情報と企業構成情報とを対応付けてこれらの情報の各々を企業情報として記憶している。企業信用情報は、企業の信用情報、すなわち、企業の信用に関わる情報であり、企業構成情報は、企業を識別するための情報であって、企業の信用に関わる情報を含まない情報である。企業信用情報は、換言すれば、企業の経営状態に関する情報であり、こうした情報であれば特に制限されないが、企業信用情報には、例えば、資本金や、上場の有無や、従業員数や、売上高等の業績等が含まれる。企業構成情報には、例えば、企業名や、その企業の本社の所在地や、企業ごとに割り当てられた識別情報が含まれる。
【００３２】
受付サーバ１０は、入力端末５０への情報の入力の補助や、入力端末５０と申請サーバ２０との間での情報の中継を行うサーバである。受付サーバ１０は、通信部１１と、制御部１２と、記憶部１３とを備えている。
【００３３】
通信部１１は、ネットワークを通じて、受付サーバ１０と上述の各装置との接続処理を実行し、受付サーバ１０と各装置との間でデータの送信および受信を行う。
制御部１２は、ＣＰＵや、ＲＡＭ等の揮発性メモリを含む構成を有し、記憶部１３に記憶されたプログラムやデータに基づいて、通信部１１による通信の制御、記憶部１３における情報の読み出しや書き込み、各種の演算処理等、受付サーバ１０が備える各部の制御を行う。こうした制御部１２は、入力補助部１２ａと受信情報処理部１２ｂとを備えている。
【００３４】
入力補助部１２ａは、入力端末５０から通信部１１が受信した情報を用いて所定の処理を行い、処理結果を、通信部１１を介して入力端末５０に送信する。例えば、入力補助部１２ａは、入力端末５０から受信した書類の画像に対して文字認識処理を行い、認識結果を示す文字列である認識情報を入力端末５０に送信する。入力端末５０では、受信した認識情報が、申込者に入力を求める情報の一部として利用される。
【００３５】
受信情報処理部１２ｂは、入力端末５０から通信部１１が受信した情報を、受付情報として記憶部１３に記憶させるとともに、通信部１１を介して、申請サーバ２０に送信する。受付情報には、申込者情報や資金情報や各書類の画像が含まれる。
【００３６】
また、受信情報処理部１２ｂは、申請サーバ２０から通信部１１が受信した情報に基づいて、各種の情報を、通信部１１を介して、入力端末５０に送信する。
例えば、申請サーバ２０から、申請サーバ２０が勤務先情報を用いて企業情報データベース４０から取得した企業構成情報を受信したとき、受信情報処理部１２ｂは、受信した企業構成情報を入力端末５０に送信する。入力端末５０では、受信した企業構成情報が表示部に表示されて、申込者に勤務先の企業の確認が要求される。
【００３７】
また例えば、受信情報処理部１２ｂは、申請サーバ２０から審査結果を受信したとき、審査結果を受付情報と対応付けて記憶部１３に記憶させるとともに、受付情報のなかの申込者情報に含まれる申込者の連絡先に、審査が完了したことの通知を送信する。この通知は、申込者端末６０によって受信される。
【００３８】
記憶部１３は、ハードディスクドライブ等の不揮発性メモリを含む構成を有し、制御部１２が実行する処理に必要なプログラムやデータを記憶している。こうしたデータの一部として、記憶部１３には、上記受付情報と審査結果とが記憶される。
【００３９】
申請サーバ２０は、借入の審査に用いられる情報である申請情報を収集して審査サーバ３０に送信することや、収集した情報の閲覧端末７０への提供を行うサーバである。申請サーバ２０は、通信部２１と、制御部２２と、記憶部２３とを備えている。
【００４０】
通信部２１は、ネットワークを通じて、申請サーバ２０と上述の各装置との接続処理を実行し、申請サーバ２０と各装置との間でデータの送信および受信を行う。
制御部２２は、ＣＰＵや、ＲＡＭ等の揮発性メモリを含む構成を有し、記憶部２３に記憶されたプログラムやデータに基づいて、申請サーバ２０が備える各部の制御を行う。こうした制御部２２は、企業情報取得部２２ａと申請情報処理部２２ｂと閲覧情報提供部２２ｃとを備えている。
【００４１】
企業情報取得部２２ａは、受付サーバ１０から通信部２１が受信した勤務先情報を用いて、企業情報データベース４０にて勤務先情報の示す勤務先に該当する企業の企業情報を特定し、特定した企業情報のうちの企業構成情報を取得する。企業情報取得部２２ａは、取得した企業構成情報を、通信部を介して受付サーバ１０に送信する。
【００４２】
申請情報処理部２２ｂは、企業構成情報と対応付けられた企業信用情報を企業情報データベース４０から取得し、受付サーバ１０から受信した申込者情報、資金情報、および、取得した企業信用情報を含む情報を申請情報として、通信部２１を介して、審査サーバ３０に送信する。また、申請情報処理部２２ｂは、申請サーバ２０が取得した情報を登録情報として記憶部２３に記憶させる。
【００４３】
また、申請情報処理部２２ｂは、審査サーバ３０から通信部２１が受信した審査結果を登録情報に対応付けて記憶部２３に記憶させるとともに、審査結果を、通信部２１を介して受付サーバ１０に送信する。
【００４４】
閲覧情報提供部２２ｃは、閲覧端末７０からの要求に応じて、記憶部２３に記憶されている登録情報や審査結果を、閲覧端末７０に通信部２１を介して送信する。閲覧端末７０では、申請サーバ２０から受信したこれらの情報が、閲覧端末７０の表示部に表示される。
【００４５】
記憶部２３は、ハードディスクドライブ等の不揮発性メモリを含む構成を有し、制御部２２が実行する処理に必要なプログラムやデータを記憶している。こうしたデータの一部として、記憶部２３には、上記登録情報と審査結果とが記憶される。
【００４６】
審査サーバ３０は、申請情報を用いて、住宅ローンの事前審査、すなわち、借入を許可するか否かの審査を行うサーバである。審査サーバ３０は、通信部３１と、制御部３２と、記憶部３３とを備えている。
【００４７】
通信部３１は、ネットワークを通じて、審査サーバ３０と申請サーバ２０との接続処理を実行し、審査サーバ３０と申請サーバ２０との間でデータの送信および受信を行う。
制御部３２は、ＣＰＵや、ＲＡＭ等の揮発性メモリを含む構成を有し、記憶部３３に記憶されたプログラムやデータに基づいて、審査サーバ３０が備える各部の制御を行う。こうした制御部３２は、審査部３２ａを備えている。
【００４８】
審査部３２ａは、申請サーバ２０から通信部３１が受信した申請情報を用いて、記憶部３３に記憶しているデータ等を参照し、審査を行う。そして、審査部３２ａは、審査結果、すなわち、借入が許可されるか否かを、通信部３１を介して申請サーバ２０に送信する。なお、本実施形態において、借入が許可されるとは、申請情報に基づく判断として借入が仮に許可され、さらに詳細な情報に基づいて住宅ローンの契約が承認されるか否かを審査する本審査への移行が認められることを意味する。また、借入が許可されないとは、申請情報によっては借入の可否が判断できず、さらなる調査が必要であることを意味する。
【００４９】
記憶部３３は、ハードディスクドライブ等の不揮発性メモリを含む構成を有し、制御部３２が実行する処理に必要なプログラムやデータを記憶している。
なお、受付サーバ１０における入力補助部１２ａおよび受信情報処理部１２ｂ、申請サーバ２０における企業情報取得部２２ａ、申請情報処理部２２ｂ、および、閲覧情報提供部２２ｃ、審査サーバ３０における審査部３２ａの各々は、複数のＣＰＵや、ＲＡＭ等からなるメモリ等の各種のハードウェアと、これらを機能させるソフトウェアとによって各別に具体化されてもよく、あるいは、サーバごとに、共通する１つのハードウェアに複数の機能を与えるソフトウェアによって具体化されてもよい。
【００５０】
［借入審査システムの動作］
＜審査の申し込みから審査結果の閲覧まで＞
図２〜図４を参照して、申込者による住宅ローンの事前審査の申し込みから審査完了の通知の受領までにおいて、借入審査システム１００が行う処理の手順を説明する。
【００５１】
図２が示すように、まず、入力端末５０にて、所定の操作が行われることに伴い、初期処理が行われる（ステップＳ１０）。これにより、事前審査の申し込みが開始される。初期処理には、例えば、アプリケーションソフトウェアの起動が含まれ、入力端末５０は、必要に応じて受付サーバ１０にアクセスしつつ、初期処理を行う。
【００５２】
なお、以下の処理において、入力端末５０への各種の情報の入力は、入力端末５０の表示部に所定の画面が表示され、画面の指示に基づいて申込者等が操作部を操作することに基づいて、行われる。入力された各種の情報は、入力端末５０に保持される。
【００５３】
まず、資金情報が入力端末５０に入力される（ステップＳ１１）。資金情報は、少なくとも上述の借入金情報を含んでいればよく、資金情報に含まれるその他の情報は、特に制限されない。資金情報は、借入金情報に加えて、例えば、申込者が住宅の購入のために必要としている資金の金額や、自己資金の金額、借入を希望する期間等を含む。
【００５４】
続いて、入力端末５０による各書類の撮影が行われる（ステップＳ１２）。撮影の対象である書類には、上述のように、本人確認書類、勤務先確認書類、および、収入確認書類が含まれる。これらの書類が順に撮影されることによって、これらの書類の情報が画像として入力端末５０に入力される。なお、撮影の対象はこれらの書類の一部であってもよいし、これらの書類以外の書類が撮影の対象とされてもよい。
【００５５】
撮影された書類の一部もしくは全部が、文字認識の対象とされ、入力端末５０は、文字認識の対象とされている書類の画像のデータを受付サーバ１０に送信する（ステップＳ１３）。文字認識の対象とされる書類は予め設定されていればよく、例えば、運転免許証と名刺とが文字認識の対象とされる。
【００５６】
受付サーバ１０の入力補助部１２ａは、入力端末５０から受信した書類の画像に対して文字認識処理を行い、認識結果を示す文字列である認識情報を入力端末５０に送信する（ステップＳ１４）。書類の画像から生成される認識情報には、例えば、申込者の氏名や生年月日や住所、勤務先の企業名や住所等が含まれる。
【００５７】
入力端末５０は、受付サーバ１０から受信した認識情報を表示部に表示し、申込者に確認を要求する（ステップＳ１５）。申込者は、必要に応じて表示されている情報を修正する。確認された認識情報は入力端末５０に保持される。
【００５８】
続いて、申込者情報が入力端末５０に入力される（ステップＳ１６）。申込者情報は、申込者の連絡先を含んでいればよく、申込者情報に含まれるその他の情報は、特に制限されない。申込者情報は、申込者の連絡先に加えて、例えば、申込者の氏名や生年月日や住所を含む。ここで、入力の必要な申込者情報のなかで、例えば氏名等のように、上記認識情報に含まれる情報については、ステップＳ１５にて確認された認識情報が適用される。すなわち、申込者は、申込者情報のなかで、認識情報に含まれていない情報のみを、操作部を操作して入力端末５０に入力すればよいため、申込者による入力端末５０の操作が削減され、情報の入力に際しての利便性が向上する。
【００５９】
このように、文字認識の対象とされる書類は、申込者情報のように、入力端末５０への入力が求められる情報の一部を含む書類であることが好ましい。
続いて、勤務先情報が入力端末５０に入力される（ステップＳ１７）。勤務先情報は、申込者の勤務先を示す情報であって、企業情報データベース４０にて企業情報を特定可能な情報であればよい。ただし、企業情報には、企業を識別するための情報、すなわち企業構成情報として企業名や本社の所在地が含まれるため、勤務先情報が、企業名と本社の所在する都道府県とを含む構成では、企業情報を効率的に検索できる。また、企業名と本社の所在する都道府県とは、申込者にとって容易に提供できる情報であるため、情報の入力に際しての申込者の負担の増大も抑えられる。
【００６０】
なお、勤務先情報の入力に際しても、ステップＳ１５にて確認された認識情報が利用されてもよい。
勤務先情報が入力されると、入力端末５０は、勤務先情報を受付サーバ１０に送信する（ステップＳ１８）。受付サーバ１０の受信情報処理部１２ｂは、受信した勤務先情報を、申請サーバ２０に送信する（ステップＳ１９）。
【００６１】
勤務先情報を受信すると、申請サーバ２０の企業情報取得部２２ａは、勤務先情報の示す勤務先に該当する企業の企業情報を企業情報データベース４０にて特定し、特定した企業情報のうちの企業構成情報を取得する（ステップＳ２０）。企業構成情報は、上述のように、企業を識別するための情報であって、企業の信用に関わる情報を含まない。なお、企業情報取得部２２ａが取得する企業構成情報は、企業情報として企業情報データベース４０に記憶されている企業を識別するための情報の一部であってもよい。
【００６２】
ここで、例えば同名の企業が近距離に複数存在する場合等、企業情報データベース４０に、勤務先情報の示す勤務先に該当する企業の企業情報として、複数の企業の企業情報が含まれている場合には、企業情報取得部２２ａは、これらの複数の企業情報の各々に対応する企業構成情報を取得する。
【００６３】
企業構成情報を取得すると、企業情報取得部２２ａは取得した企業構成情報を、受付サーバ１０に送信する（ステップＳ２１）。企業情報取得部２２ａが複数の企業構成情報を取得した場合には、複数の企業構成情報が受付サーバ１０に送信される。
【００６４】
企業構成情報を受信すると、受付サーバ１０の受信情報処理部１２ｂは、企業構成情報を入力端末５０に送信する（ステップＳ２２）。
入力端末５０は、受付サーバ１０から受信した企業構成情報を表示部に表示し、申込者に確認を要求する（ステップＳ２３）。企業構成情報が複数ある場合には、表示部に複数の企業構成情報が表示され、申込者に、勤務先の企業を選択することが要求される。なお、入力端末５０の表示部に表示される情報は、企業情報データベース４０から取得された企業構成情報の一部であってもよく、申込者が勤務先の企業がいずれであるかを判断可能な情報であればよい。選択された企業構成情報は入力端末５０に保持される。
【００６５】
図３は、入力端末５０の表示部に表示される企業構成情報の確認画面の一例を示す。図３が示すように、確認画面Ｄ１には、複数の企業についての企業構成情報Ｉａの表示、すなわち、企業名および本社の所在地の表示が含まれるとともに、申込者に勤務先の企業を選択することを要求する表示が含まれている。
【００６６】
申込者による企業構成情報の選択は、すなわち、企業構成情報に対応付けられた企業信用情報の選択を意味するが、選択に際して入力端末５０の表示部に表示される情報は、企業を識別するための情報を含む一方、企業の信用に関わる情報を含まない。したがって、申込者に、企業の信用に関わる情報を閲覧させずに、企業信用情報を選択させることができる。企業の信用に関わる情報には、拡散の好ましくない情報も含まれるため、上記構成によれば、こうした情報の拡散が抑えられる。
【００６７】
こうして、各種の情報の入力が完了すると、入力された情報の申込者による確認等を経た後に、入力端末５０は、入力端末５０の保持している情報を受付サーバ１０に送信する（ステップＳ２４）。送信される情報には、資金情報、申込者情報、企業構成情報、および、書類の画像が含まれる。ここで、受付サーバ１０に送信される企業構成情報は、ステップＳ２３にて確認、選択された企業構成情報である。
【００６８】
入力端末５０からこれらの情報を受信すると、受付サーバ１０の受信情報処理部１２ｂは、受信した情報を、受付情報として記憶部１３に記憶させる（ステップＳ２５）。そして、受信情報処理部１２ｂは、受付情報を申請サーバ２０に送信する（ステップＳ２６）。なお、受信情報処理部１２ｂは、受信した申込者情報に含まれる申込者の連絡先に、申し込みを受け付けたことの通知をメールとして送信してもよい。
【００６９】
入力端末５０に入力された情報の入力端末５０と受付サーバ１０との間での送受信が完了すると、その旨が入力端末５０の表示部に表示され、これによって、事前審査の申し込みは完了し、借入審査システム１００における入力端末５０の処理は完了する。
【００７０】
受付サーバ１０から受付情報を受信すると、申請サーバ２０の申請情報処理部２２ｂは、受付情報に含まれる企業構成情報に企業情報データベース４０にて対応付けられている企業信用情報、すなわち、企業構成情報の示す企業の企業信用情報を企業情報データベース４０から取得する（ステップＳ２７）。そして、申請情報処理部２２ｂは、取得した企業信用情報と受付サーバ１０から受信した情報とを含めて申請情報として審査サーバ３０に送信する（ステップＳ２８）。これにより、審査サーバ３０に審査が申請される。受付サーバ１０から受信した受付情報のうち、申請情報には、少なくとも、資金情報および申込者情報が含められればよく、受付情報のすべてが審査サーバ３０に送信されなくてもよい。受付情報のうち審査サーバ３０に送信されなかった情報は、例えば、事前審査の申し込みの管理や本審査等に利用される。
【００７１】
また、申請情報処理部２２ｂは申請サーバ２０が取得した情報、すなわち、受付情報や申請情報に含まれる情報を、登録情報として記憶部２３に記憶させる（ステップＳ２９）。登録情報は、受付情報と申請情報とのすべてを含まなくてもよい。
【００７２】
なお、受付サーバ１０に記憶されている受付情報と、申請サーバ２０に記憶されている登録情報とは、１つの申し込みごとに割り当てられる識別情報と対応付けられて管理される。この識別情報は、申し込みの開始時、すなわち、入力端末５０にて初期処理が開始されたときに、受付サーバ１０や申請サーバ２０によって設定されてもよいし、申込者情報等を受信した際に受付サーバ１０や申請サーバ２０によって設定されてもよい。また、これらの識別情報が切り換えられつつ用いられてもよい。各サーバ間での各種の情報や審査結果の送受信は、上記識別情報とともに行われ、各サーバは、識別情報に基づいて、申し込みごとの情報を識別する。
【００７３】
申請サーバ２０から申請情報を受信すると、審査サーバ３０の審査部３２ａは、申請情報を用いて審査を行う（ステップＳ３０）。審査の基準は適宜設定されればよく、審査部３２ａは、記憶部３３に記憶されているデータや、外部の装置に記憶されているデータを必要に応じて参照し、審査の処理を行えばよい。
【００７４】
審査が完了すると、審査部３２ａは、審査結果を申請サーバ２０に送信する（ステップＳ３１）。審査結果を受信すると、申請サーバ２０の申請情報処理部２２ｂは、審査結果を、対応する申し込みの登録情報に対応付けて記憶部２３に記憶させる（ステップＳ３２）。また、申請情報処理部２２ｂは、審査結果を、受付サーバ１０に送信する（ステップＳ３３）。
【００７５】
審査結果を受信すると、受付サーバ１０の受信情報処理部１２ｂは、審査結果を、対応する申し込みの受付情報に対応付けて記憶部１３に記憶させる（ステップＳ３４）。また、受信情報処理部１２ｂは、受付情報に含まれる申込者の連絡先に、審査が完了したことの通知をメールとして送信する。（ステップＳ３５）。
【００７６】
上記通知であるメールは、申込者端末６０を用いて申込者によって確認される（ステップＳ３６）。申込者は、上記通知であるメールに記載の指示に従って、審査結果を確認する。例えば、審査結果は、メールに記載されていてもよいし、ウェブサイト上で閲覧可能とされてもよいし、電話連絡等によって確認可能とされてもよい。審査によって、借入が許可されると判定された場合には、審査結果として、その旨および本審査の案内等が申込者に通知され、審査によって、借入が許可されないと判定された場合には、借入の可否について更なる調査が行われること等が申込者に通知される。
【００７７】
なお、上述の処理手順において、入力端末５０に入力される情報は、少なくとも申込者情報と勤務先情報と借入金情報とを含んでいればよく、これら以外の情報、例えば、申込者が購入する物件に関する情報等が入力端末５０に入力されてもよい。また例えば、勤務先情報の示す勤務先に該当する企業の企業情報が企業情報データベース４０に記憶されていなかった場合、すなわち、申請サーバ２０が企業情報データベース４０から企業情報を取得できない場合には、申請サーバ２０は受付サーバ１０を経由してその旨を入力端末５０に通知し、入力端末５０は、勤務先に関する詳細な情報の入力を求めてもよい。
【００７８】
また、各情報の入力の順序も、上述の順序と異なっていてもよい。さらに、各情報は、入力端末５０に入力されるごとに、受付サーバ１０に送信されてもよい。
以上説明したように、本実施形態の借入審査システム１００では、入力端末５０に入力された勤務先情報に基づいて、企業情報データベース４０から企業信用情報が取得され、取得された企業信用情報が、入力端末５０に入力された他の情報とともに申請情報に含められて審査サーバ３０に送信される。すなわち、審査を申し込む際に申込者が提供した情報を用いて、審査に有用な企業信用情報が収集され、申込者が提供した情報とともに企業信用情報が審査サーバ３０に送られて審査に用いられる。
【００７９】
したがって、システムの処理とは別に担当者が企業の信用情報を収集してシステムに入力することを要さず、入力端末５０への情報の入力、すなわち、審査の申し込みから、審査が完了するまでの処理が借入審査システム１００にて連続して行われる。それゆえ、審査の申し込みから審査の完了までの処理の効率が高められる。
【００８０】
また、審査の完了が申込者の連絡先に通知される。すなわち、審査の申し込みから審査の完了の通知までの処理が借入審査システム１００にて連続して行われる。こうした構成においては、金融機関や不動産業者の担当者の補助や仲介なく、もしくは、補助や仲介を最小限に留めて、申込者が事前審査の申し込みをして審査の完了の連絡を受けることも可能である。したがって、申込者の提供する情報が申込者以外の人物に知られる機会を低減できる。
【００８１】
＜収集情報の閲覧＞
図５および図６を参照して、閲覧端末７０による情報の閲覧に際して借入審査システム１００が行う処理の手順を説明する。閲覧端末７０による情報の閲覧は、例えば、住宅ローンを提供する金融機関の担当者等、事前審査の申し込みの管理者が、事前審査の申し込みの詳細や審査結果を確認するために行われる。
【００８２】
図５が示すように、閲覧端末７０から申請サーバ２０に、登録情報と審査結果との取得の要求が行われる（ステップＳ５０）。こうした要求は、閲覧端末７０に表示される画面の指示に従って、閲覧対象を指定する情報が閲覧端末７０に入力されることに基づき、閲覧対象を指定する情報の閲覧端末７０から申請サーバ２０への送信とともに行われる。
【００８３】
閲覧対象を指定する情報は、申請サーバ２０に記憶されている複数の登録情報に対応する複数の申し込みのうちの１以上の申し込みを指定する情報であって、例えば、申込者の氏名等の検索条件であり、検索条件と一致する情報を含む申し込みが閲覧対象として指定される。また、申し込みの一覧や検索条件に該当する申し込みの一覧が申請サーバ２０から閲覧端末７０に送信されて、閲覧端末７０の表示部に表示され、一覧のなかからいずれかの申し込みが選択されることによって、選択された申し込みが閲覧対象として指定されてもよい。
【００８４】
閲覧端末７０からの要求を受けると、申請サーバ２０の閲覧情報提供部２２ｃは、閲覧対象として指定された申し込みの登録情報および審査結果を、閲覧端末７０に送信する（ステップＳ５１）。
【００８５】
閲覧端末７０は、申請サーバ２０から受信した登録情報および審査結果を表示部に表示する（ステップＳ５２）。これにより、管理者は、事前審査の申し込みに際して申込者から提供された情報や審査結果を閲覧することができる。
【００８６】
なお、閲覧端末７０からの要求を受けて申請サーバ２０が閲覧端末７０に送信する情報、すなわち、閲覧端末７０に表示される情報は、１つの申し込みについて申請サーバ２０に記憶されている情報のすべてでなくてもよい。換言すれば、各申し込みについて閲覧端末７０に表示される情報は、申請サーバ２０に記憶されている登録情報および審査結果のすべてでなくてもよい。
【００８７】
図６は、閲覧端末７０における登録情報および審査結果の表示された閲覧画面の一例を示す。図６が示すように、閲覧画面Ｄ２には、登録情報に含まれる申込者情報Ｉｂや、資金情報Ｉｃや、勤務先情報Ｉｄや、書類の画像Ｉｅの表示が含まれている。また、閲覧画面Ｄ２には、審査結果Ｉｆの表示が含まれている。
【００８８】
こうした構成によれば、管理者は、事前審査の申し込みに際して申込者から提供された情報や審査結果を容易に確認することができるため、事前審査の申し込みの管理に要する負荷が軽減され、利便性が高められる。また、事前審査の申し込みに際して撮影された書類の画像が閲覧できるため、管理者は、こうした書類に基づいて、申込者によって入力された申込者情報や資金情報等の情報が適正であるか否かを判断することができる。特に、こうした書類に申込者の勤務先を証明する書類が含まれている場合には、管理者は、この書類に基づいて、申込者によって入力された申込者の勤務先が正しいか否かを確認することができる。
【００８９】
なお、本実施形態においては、受付サーバ１０と申請サーバ２０とが情報収集部を構成し、審査サーバ３０が審査部を構成する。情報収集部は、受付サーバ１０と申請サーバ２０とによって担われる機能部として、受信部、送信部、取得部、通知部、記憶部、および、提供部を有する。また、申請サーバ２０に記憶された登録情報と審査結果とが、収集情報を構成する。
【００９０】
以上説明したように、本実施形態の借入審査システム１００によれば、以下に列挙する効果を得ることができる。
（１）入力端末５０に入力された勤務先情報に基づいて、企業情報である企業信用情報が取得され、取得された企業信用情報が、入力端末５０に入力された他の情報とともに申請情報に含められて審査サーバ３０に送信される。すなわち、審査を申し込む際に申込者が提供した情報を用いて企業信用情報が収集され、申込者が提供した情報とともに企業信用情報が審査サーバ３０に送られて審査に用いられる。したがって、システムの処理とは別に担当者が企業の信用情報を収集してシステムに入力することを要さず、入力端末５０への情報の入力、すなわち、審査の申し込みから、審査が完了するまでの処理が借入審査システム１００にて連続して行われる。それゆえ、審査の申し込みから審査の完了までの処理の効率が高められる。
【００９１】
（２）企業情報データベース４０に、勤務先情報の示す勤務先に該当する企業の企業情報として、複数の企業の企業情報が存在するとき、入力端末５０は、複数の企業の各々について企業構成情報を受信し、この情報を表示して企業の選択を要求する。そして、申請サーバ２０は、入力端末５０にて選択された企業の企業信用情報を申請情報に含めて審査サーバ３０に送信する。したがって、申込者に、企業の信用に関わる情報を閲覧させずに、企業信用情報を選択させることができる。企業の信用に関わる情報には、拡散の好ましくない情報も含まれるため、上記構成によれば、こうした情報の拡散が抑えられる。
【００９２】
（３）勤務先情報が、企業名と当該企業の本社が所在する場所とを含む。一般に、企業情報には、企業を識別するための情報、すなわち、企業構成情報として企業名や本社の所在地が含まれるため、上記構成によれば、企業情報を効率的に検索できる。また、企業名と本社の所在する場所とは、申込者にとって容易に提供できる情報であるため、情報の入力に際しての申込者の負担の増大も抑えられる。
【００９３】
（４）申請サーバ２０は、申請情報に含まれる情報を含めて申請サーバ２０の収集した情報を記憶し、閲覧端末７０からの要求に応じて、これらの情報を閲覧端末７０に送信する。そして、閲覧端末７０は、申請サーバ２０から受信した情報を表示する。こうした構成によれば、事前審査の申し込みの管理者である閲覧端末７０の利用者は、事前審査の申し込みに際して申込者から提供された情報等、申請サーバ２０に集められた情報を容易に確認することができるため、事前審査の申し込みの管理に要する負荷が軽減され、利便性が高められる。
【００９４】
（５）申請サーバ２０から送信されて閲覧端末７０に表示される情報に、審査結果が含まれる構成では、閲覧端末７０の利用者は、事前審査の申し込みに対する審査結果を確認することができるため、事前審査の申し込みの管理についての利便性がより高められる。
【００９５】
（６）申請サーバ２０から送信されて閲覧端末７０に表示される情報に、申込者の勤務先を証明する書類の画像および勤務先情報の示す勤務先が含まれる構成では、閲覧端末７０の利用者は、書類の画像を参照して、申込者によって入力された勤務先が正しいか否か、すなわち、勤務先情報の示す勤務先が正しいか否かを確認することができる。
【００９６】
上記実施形態は、以下のように変更して実施することが可能である。
・上記実施形態では、申請サーバ２０は、勤務先情報に基づいて企業構成情報を取得し、申請サーバ２０と受付サーバ１０と入力端末５０との間では、企業構成情報が授受された。これに代えて、申請サーバ２０は、勤務先情報に基づいて企業情報データベース４０から企業信用情報を取得し、申請サーバ２０と受付サーバ１０と入力端末５０との間で企業信用情報が授受されてもよい。すなわち、勤務先情報に基づいて申請サーバ２０が取得して上記装置の間で授受される情報は、企業情報であればよく、企業構成情報のように企業信用情報と対応付けられた情報であってもよいし、企業信用情報そのものであってもよいし、企業構成情報と企業信用情報の双方であってもよい。申請サーバ２０と受付サーバ１０と入力端末５０との間で企業構成情報と企業信用情報とが授受される構成のように、これらの装置の間で授受される情報に企業の信用に関わる情報が含まれる構成であっても、申込者に勤務先の企業の確認を要求するために入力端末５０に表示される情報は、企業構成情報、すなわち、企業を識別するための情報であることが好ましい。なお、上述のように、企業の信用に関わる情報には、拡散の好ましくない情報も含まれるため、申請サーバ２０と受付サーバ１０と入力端末５０との間で企業構成情報のみが授受される構成の方が、企業の信用に関わる情報の拡散の虞を低減できる。
【００９７】
また、上記実施形態では、申請サーバ２０は、企業構成情報に基づいて企業信用情報を取得し、企業信用情報を申請情報に含めて審査サーバ３０に送信した。これに代えて、申請サーバ２０は、企業構成情報を申請情報に含めて審査サーバ３０に送信し、審査サーバ３０が企業構成情報に対応付けられている企業信用情報を企業情報データベース４０から取得してもよい。すなわち、情報収集部が取得して申請情報に含める情報は、企業情報であればよく、企業信用情報そのものであってもよいし、企業構成情報のように企業信用情報と対応付けられた情報であってもよい。
【００９８】
・上記実施形態では、受付サーバ１０と申請サーバ２０とから情報収集部が構成されたが、受付サーバ１０の機能と申請サーバ２０の機能とが１つのサーバによって実現されてもよい。すなわち、情報収集部は、１つのサーバから構成されてもよい。また、情報収集部は、３以上のサーバから構成されてもよい。
【００９９】
・上記実施形態では、閲覧端末７０はネットワークを介して申請サーバ２０と接続され、申請サーバ２０から登録情報や審査結果を取得した。これに代えて、閲覧端末７０は、汎用通信回線等のネットワークを介して受付サーバ１０と接続され、受付サーバ１０に記憶されている受付情報や審査結果を受付サーバ１０から受信して閲覧端末７０の表示部に表示してもよい。こうした構成では、例えば、不動産業者等の管理者が、事前審査の申し込みに際して申込者から提供された情報や審査結果を閲覧することができる。この場合、受付サーバ１０に記憶されている受付情報および審査結果が、収集情報を構成する。
すなわち、収集情報は、情報収集部が収集した情報であり、閲覧端末７０は、情報収集部から収集情報を取得すればよい。収集情報は、情報収集部が収集した情報であれば、入力端末５０に入力された情報以外の情報を含んでいてもよく、例えば、申し込みを受け付けた日時、すなわち、受付サーバ１０が入力端末５０から各種の情報を受信した日時を含んでいてもよい。また、収集情報として情報収集部に記憶される情報は、情報収集部が収集した情報のすべてでなくてもよく、収集情報として記憶されている情報のすべてが閲覧端末７０に送信されなくてもよい。
【０１００】
・入力端末５０への情報の入力に際して、入力端末５０が撮影した書類の画像に対する文字認識処理が行われず、すべての情報が操作部の操作によって入力端末５０に入力されてもよい。また、入力端末５０は書類の撮影を行わず、画像としての情報は入力端末５０に入力されなくてもよい。すなわち、閲覧端末７０によって書類の画像の確認ができなくてもよい。こうした構成によっても上記（１）〜（５）の効果は得られる。
【０１０１】
・借入審査システム１００は、閲覧端末７０を備えず、受付サーバ１０や申請サーバ２０に収集された情報は閲覧されなくてもよい。こうした構成によっても、上記（１）〜（３）の効果は得られる。
【０１０２】
・企業情報データベース４０は、申請サーバ２０が備えていてもよいし、借入審査システム１００の外部のサーバ等の装置が備えていてもよい。
・上記実施形態では、借入の可否は、借入が仮に許可されて本審査への移行が認められるか、申請情報によっては借入の可否が判断できず、さらなる調査が必要であるかを意味したが、借入の可否は、借入の最終的な可否を意味してもよい。また、借入審査システム１００の行う審査は、住宅ローンの事前審査に限られず、例えば、住宅ローンに関する他の審査であってもよいし、住宅ローンとは異なるローンの審査であってもよく、要は、借入に関する審査であればよい。
【符号の説明】
【０１０３】
１００…借入審査システム、１０…受付サーバ、１１…通信部、１２…制御部、１２ａ…入力補助部、１２ｂ…受信情報処理部、１３…記憶部、２０…申請サーバ、２１…通信部、２２…制御部、２２ａ…企業情報取得部、２２ｂ…申請情報処理部、２２ｃ…閲覧情報提供部、２３…記憶部、３０…審査サーバ、３１…通信部、３２…制御部、３２ａ…審査部、３３…記憶部、４０…企業情報データベース、５０…入力端末、６０…申込者端末、７０…閲覧端末。
【図１】
2017117308.tif 000003
【図２】
2017117308.tif 000004
【図３】
2017117308.tif 000005
【図４】
2017117308.tif 000006
【図５】
2017117308.tif 000007
【図６】
2017117308.tif 000008